(57)【要約】【課題】インターネットファクシミリ通信システムにおいて送信側と受信側で互いの機能の交換を行う。【解決手段】インターネットファクシミリ装置２０の主制御部１は、ファクシミリ通信手順（Ｔ．３０）の各手順信号を電子メールに格納し電子メールに一連のファクシミリ通信を識別するための同一のデータを含ませて、ファクシミリ通信手順を電子メールベースで行って電子メールを用いて自機と相手先のファクシミリ装置の能力を交換し、交換された相手先のファクシミリ装置の能力に基づいて画像データを送信する。１通のファクシミリ送信毎に１つの同一のＦＡＸＩＤを採番して、採番したＦＡＸＩＤと各手順信号の名称とを含む電子メールを相手方のインターネットファクシミリ装置に送信し、相手方のインターネットファクシミリ装置から送信されてくるＦＡＸＩＤと各手順信号の名称とを含む電子メールを受信して画像データのファクシミリ通信を実行する。【選択図】図１
2004312757.tif 000002
【特許請求の範囲】
【請求項１】
電子メールを利用してインターネットを介してファクシミリ通信を行うインターネットファクシミリ装置において、
ファクシミリ通信手順（Ｔ．３０）の各手順信号を電子メールに格納しかつ当該電子メールに一連のファクシミリ通信を識別するための同一のデータを含ませて、上記ファクシミリ通信手順を電子メールベースで行うことにより、当該電子メールを用いて自機と相手先のファクシミリ装置の能力を交換し、上記交換された相手先のファクシミリ装置の能力に基づいて画像データを送信する通信手段を備え、
上記通信手段は、１通のファクシミリ送信毎に１つの同一のＦＡＸＩＤを採番して、上記採番したＦＡＸＩＤとファクシミリ通信手順（Ｔ．３０）の各手順信号の名称とを含む電子メールを相手方のインターネットファクシミリ装置に送信し、上記相手方のインターネットファクシミリ装置から送信されてくるＦＡＸＩＤとファクシミリ通信手順（Ｔ．３０）の各手順信号の名称とを含む電子メールを受信することにより画像データのファクシミリ通信を実行することを特徴とするインターネットファクシミリ装置。
【請求項２】
ＦＡＸＩＤ管理テーブルと、通信履歴送信テーブルと、通信履歴受信テーブルとを格納する記憶手段をさらに備え、
上記通信手段は、
１通のファクシミリ送信毎に１つの同一のＦＡＸＩＤを採番するときに上記採番したＦＡＸＩＤと相手方の電子メールアドレスとをＦＡＸＩＤ管理テーブルに格納し、
ＦＡＸＩＤとファクシミリ通信手順（Ｔ．３０）の各手順信号の名称とを含む第１の通信情報を含む電子メールを相手方のインターネットファクシミリ装置に送信したとき、上記第１の通信情報を上記相手方のインターネットファクシミリ装置の電子メールアドレス及び通信時刻とともに通信履歴送信テーブルに格納し、
上記相手方のインターネットファクシミリ装置から送信されてくるＦＡＸＩＤとファクシミリ通信手順（Ｔ．３０）の各手順信号の名称とを含む第２の通信情報を含む電子メールを受信したとき、上記第２の通信情報を上記相手方のインターネットファクシミリ装置の電子メールアドレス及び通信時刻とともに通信履歴受信テーブルに格納することにより、
上記ファクシミリ通信手順を電子メールベースで行うことを特徴とする請求項１記載のインターネットファクシミリ装置。
【請求項３】
上記通信手段は、１つの電子メールに複数の手順信号を格納することを特徴とする請求項１又は２記載のインターネットファクシミリ装置。
【請求項４】
上記通信手段は、電子メールの拡張ヘッダに、ファクシミリ通信手順（Ｔ．３０）の各手順信号の名称を含む所定の形式の信号を格納し、当該拡張ヘッダを用いた電子メールをやり取りすることによってファクシミリ通信手順（Ｔ．３０）を実現することを特徴とする請求項１乃至３のうちのいずれか１つに記載のインターネットファクシミリ装置。
【請求項５】
上記通信手段は、上記電子メールのヘッダにファクシミリ装置の能力を記載して相手先のファクシミリ装置と交換することを特徴とする請求項１乃至４のうちのいずれか１つに記載のインターネットファクシミリ装置。
【請求項６】
上記通信手段は、上記電子メールの本文にファクシミリ装置の能力を記載して相手先のファクシミリ装置と交換することを特徴とする請求項１乃至４にうちのいずれか１つに記載のインターネットファクシミリ装置。
【請求項７】
上記通信手段は、上記電子メールの本文に画像データを含ませて相手先のファクシミリ装置に画像データを送信することを特徴とする請求項１乃至６のうちのいずれか１つに記載のインターネットファクシミリ装置。
【請求項８】
上記通信手段は、上記電子メールの添付ファイルに画像データを含ませて相手先のファクシミリ装置に画像データを送信することを特徴とする請求項１乃至６のうちのいずれか１つに記載のインターネットファクシミリ装置。
【請求項９】
上記画像データは、ＴＩＦＦ形式であることを特徴とする請求項１乃至８のうちのいずれか１つに記載のインターネットファクシミリ装置。
【請求項１０】
上記画像データは、ＭＨ形式、ＭＭＲ形式、ＪＢＩＧ形式又はＪＰＥＧ形式であることを特徴とする請求項１乃至８のうちのいずれか１つに記載のインターネットファクシミリ装置。
【請求項１１】
インターネットを介して電子メールを送受信するメールサーバ手段をさらに備えたことを特徴とする請求項１乃至１０のうちのいずれか１つに記載のインターネットファクシミリ装置。
【発明の詳細な説明】
【技術分野】
【０００１】
本発明は、電子メールを利用してインターネットを介して画像データを送受信するインターネットファクシミリ装置に関する。
【背景技術】
【０００２】
従来、電子メールを利用してインターネットを介して画像データを送受信するインターネットファクシミリ装置を用いたインターネットファクシミリ通信システムが、ＩＴＵ−Ｔ勧告Ｔ．３７において提案されている。このインターネットファクシミリ装置では、画像データを含む電子メールを送信側のメールサーバ装置（ゲートウェイ装置）及びインターネットを介して受信側のメールサーバ装置（ゲートウェイ装置）にＳＭＴＰ方式で送信し、受信側のインターネットファクシミリ装置は、ＰＯＰ３方式で受信側のメールサーバ装置にアクセスして、画像データを含む電子メールを受信して、受信された画像データを画像記録部を用いて印字する。
【０００３】
【特許文献１】特開平１１−１２７３３０号公報。
【特許文献２】特開平１１−２６１６２８号公報。
【発明の開示】
【発明が解決しようとする課題】
【０００４】
従来技術のインターネットファクシミリ通信システムにおいては、送信側から受信側へ一方的に画像データを送りつけるような形態になっているので、送信側と受信側で互いの機能の交換を行うことができない。従って、受信した画像データを再生できなかったり、機能を十分に発揮することができないという問題点があった。
【０００５】
本発明の目的は以上の問題点を解決し、インターネットファクシミリ通信システムにおいて、送信側と受信側で互いの機能の交換を行うことができるインターネットファクシミリ装置を提供することにある。
【課題を解決するための手段】
【０００６】
本発明に係るインターネットファクシミリ装置は、電子メールを利用してインターネットを介してファクシミリ通信を行うインターネットファクシミリ装置において、
ファクシミリ通信手順（Ｔ．３０）の各手順信号を電子メールに格納しかつ当該電子メールに一連のファクシミリ通信を識別するための同一のデータを含ませて、上記ファクシミリ通信手順を電子メールベースで行うことにより、当該電子メールを用いて自機と相手先のファクシミリ装置の能力を交換し、上記交換された相手先のファクシミリ装置の能力に基づいて画像データを送信する通信手段を備え、
上記通信手段は、１通のファクシミリ送信毎に１つの同一のＦＡＸＩＤを採番して、上記採番したＦＡＸＩＤとファクシミリ通信手順（Ｔ．３０）の各手順信号の名称とを含む電子メールを相手方のインターネットファクシミリ装置に送信し、上記相手方のインターネットファクシミリ装置から送信されてくるＦＡＸＩＤとファクシミリ通信手順（Ｔ．３０）の各手順信号の名称とを含む電子メールを受信することにより画像データのファクシミリ通信を実行することを特徴とする。
【０００７】
上記インターネットファクシミリ装置において、ＦＡＸＩＤ管理テーブルと、通信履歴送信テーブルと、通信履歴受信テーブルとを格納する記憶手段をさらに備え、
上記通信手段は、
１通のファクシミリ送信毎に１つの同一のＦＡＸＩＤを採番するときに上記採番したＦＡＸＩＤと相手方の電子メールアドレスとをＦＡＸＩＤ管理テーブルに格納し、
ＦＡＸＩＤとファクシミリ通信手順（Ｔ．３０）の各手順信号の名称とを含む第１の通信情報を含む電子メールを相手方のインターネットファクシミリ装置に送信したとき、上記第１の通信情報を上記相手方のインターネットファクシミリ装置の電子メールアドレス及び通信時刻とともに通信履歴送信テーブルに格納し、
上記相手方のインターネットファクシミリ装置から送信されてくるＦＡＸＩＤとファクシミリ通信手順（Ｔ．３０）の各手順信号の名称とを含む第２の通信情報を含む電子メールを受信したとき、上記第２の通信情報を上記相手方のインターネットファクシミリ装置の電子メールアドレス及び通信時刻とともに通信履歴受信テーブルに格納することにより、
上記ファクシミリ通信手順を電子メールベースで行うことを特徴とする。
【０００８】
また、上記インターネットファクシミリ装置において、上記通信手段は、１つの電子メールに複数の手順信号を格納することを特徴とする。
【０００９】
さらに、上記インターネットファクシミリ装置において、上記通信手段は、電子メールの拡張ヘッダに、ファクシミリ通信手順（Ｔ．３０）の各手順信号の名称を含む所定の形式の信号を格納し、当該拡張ヘッダを用いた電子メールをやり取りすることによってファクシミリ通信手順（Ｔ．３０）を実現することを特徴とする。
【００１０】
またさらに、上記インターネットファクシミリ装置において、上記通信手段は、上記電子メールのヘッダにファクシミリ装置の能力を記載して相手先のファクシミリ装置と交換することを特徴とする。とって代わって、上記インターネットファクシミリ装置において、上記通信手段は、上記電子メールの本文にファクシミリ装置の能力を記載して相手先のファクシミリ装置と交換することを特徴とする。
【００１１】
また、上記インターネットファクシミリ装置において、上記通信手段は、上記電子メールの本文に画像データを含ませて相手先のファクシミリ装置に画像データを送信することを特徴とする。とって代わって、上記インターネットファクシミリ装置において、上記通信手段は、上記電子メールの添付ファイルに画像データを含ませて相手先のファクシミリ装置に画像データを送信することを特徴とする。
【００１２】
さらに、上記インターネットファクシミリ装置において、上記画像データは、ＴＩＦＦ形式であることを特徴とする。とって代わって、上記インターネットファクシミリ装置において、上記画像データは、ＭＨ形式、ＭＭＲ形式、ＪＢＩＧ形式又はＪＰＥＧ形式であることを特徴とする。
【００１３】
またさらに、上記インターネットファクシミリ装置において、インターネットを介して電子メールを送受信するメールサーバ手段をさらに備えたことを特徴とする。
【発明の効果】
【００１４】
従って、本発明に係るインターネットファクシミリ装置によれば、電子メールを利用してインターネットを介してファクシミリ通信を行うインターネットファクシミリ装置において、電子メールを用いて自機と相手先のファクシミリ装置の能力を交換する交換手段と、上記交換された各ファクシミリ装置の能力に基づいて画像データを送信する送信手段を備える。従って、本発明によれば、電子メールを用いたインターネットファクシミリ通信システムにおいて、互いの能力交換を行ってから画像データを送信することができる。これにより、相手先のインターネットファクシミリ装置の能力を十分に生かすことができる。また、ファクシミリの通信手順信号を用いて、電子メールによるファクシミリ通信を行っているので、受信側で確実に受信したか否かを送信側で知ることができる。
【発明を実施するための最良の形態】
【００１５】
以下、本発明に係る実施形態について図面を参照して説明する。なお、同様の構成要素については同一の符号を付している。
【００１６】
以下、図面を参照して本発明に係る実施形態について説明する。
【００１７】
＜第１の実施形態＞
図１は、本発明に係る第１の実施形態であるインターネットファクシミリ通信システムの構成を示すブロック図であり、図２は、図１のインターネットファクシミリ装置２０の詳細な構成を示すブロック図である。
【００１８】
第１の実施形態に係るインターネットファクシミリ通信システムは、従来技術の項で説明した通信システムと同様であって、電子メールを利用してインターネットを介して画像データを送受信するインターネットファクシミリ装置を利用し、電子メールのプロトコルであるＳＭＴＰ（Simple Mail Transfer Protocol）及びＰＯＰ３（Post Office Protocol 3）を用いてファクシミリ通信を行う。すなわち、図１に示すように、送信側のインターネットファクシミリ装置２０Ａは、画像データを含む電子メールを送信側のメールサーバ装置（ゲートウェイ装置）３１Ａ及びインターネット４０を介して受信側のメールサーバ装置（ゲートウェイ装置）３１ＢにＳＭＴＰ方式で送信し、その後、受信側のインターネットファクシミリ装置２０Ｂは、例えば３０秒などの所定の周期で周期的に、ＰＯＰ３方式で受信側のメールサーバ装置３１Ｂにアクセスして、画像データを含む電子メールを受信して、受信された画像データを画像記録部３を用いて印字する。ここで、図２に示すように、インターネットファクシミリ装置２０Ａ及び２０Ｂとは送信側及び受信側の機能を有し総称して符号２０を付し、インターネット４０を介して電子メールを送受信するメールサーバ装置３１Ａ及び３１Ｂは送信側及び受信側の機能を有し総称して符号３１を付す。
【００１９】
第１の実施形態に係るインターネットファクシミリ装置２０は、電子メールを利用してインターネットを介してファクシミリ通信を行うインターネットファクシミリ装置２０であって、主制御部１は、ファクシミリ通信で用いられるＩＴＵ−Ｔ勧告Ｔ−３０の通信手順と同様の通信手順を用い、電子メールを用いて自機と相手先のファクシミリ装置の能力を交換し、上記交換された各ファクシミリ装置の能力に基づいて画像データを送信することを特徴とする。ここで、上記電子メールは、一連のファクシミリ通信を識別するためのデータであるＦＡＸＩＤ（ファクシミリ通信識別番号）を含む。また、主制御部１は、上記電子メールのヘッダ（又は本文でもよい）にファクシミリ装置の能力を記載して相手先のファクシミリ装置と交換する。さらに、主制御部１は、上記電子メールの本文（又は添付ファイルでもよい。）に画像データを含ませて相手先のファクシミリ装置に画像データを送信する。ここで、上記画像データは、好ましくは、ＴＩＦＦ形式、もしくは、ＭＨ形式、ＭＭＲ形式、ＪＢＩＧ形式又はＪＰＥＧ形式である。
【００２０】
図１において、ファクシミリ装置２０は、従来のＧ３方式等のファクシミリ通信機能を備えるとともに、電子メールを用いたファクシミリ通信機能を備えている。主制御部１は具体的にはＣＰＵで構成されており、バス１３を介して以下のハードウェア各部と接続されていてそれらを制御するほか、後述する種々のソフトウェアの機能を実行する。画像読取部２は、ＣＣＤ等を利用したスキャナで原稿を読み取り、白黒２値に変換したドットイメージデータを出力する。画像記録部３は電子写真方式等のプリンタ装置であり、他のファクシミリ装置からファクシミリ通信により受信したイメージデータをハードコピーとしてプリントアウトして記録する。表示部４は、液晶表示装置（ＬＣＤ）又はＣＲＴディスプレイ等の表示装置であり、当該ファクシミリ装置２０の動作状態を表示したり、送信すべき原稿のイメージデータ、及び受信したイメージデータの表示を行う。
【００２１】
操作部５は、当該ファクシミリ装置２０を操作するために必要な文字キー、ダイヤル用テンキー、短縮ダイヤルキー、ワンタッチダイヤルキー、及び各種のファンクションキー等を備える。なお、上述の表示部４をタッチパネル方式とすることにより、この操作部５の各種キーの内の一部又は全部を代用するように構成してもよい。
【００２２】
ＲＯＭ６は、当該ファクシミリ装置２０の動作に必要であって主制御部１によって実行される種々のソフトウェアのプログラムを予め格納する。また、これらのプログラムは、例えば、フロッピーディスク、ＭＯ、ＤＶＤ−ＲＡＭなどの記録媒体に記録して、必要に応じてそのドライブ装置を介してＲＡＭ７にロードして当該プログラムを実行してもよい。ＲＡＭ７は、ＳＲＡＭで構成され、主制御部１のワーキングエリアとして使用されてプログラムの実行時に発生する一時的なデータを記憶する。コンパクトフラッシュ（登録商標）８は、いわゆる画像メモリと、プログラム記録媒体としてのメモリとの役割を有し、ＦＡＸＩＤ管理テーブル８ａと、通信履歴送信テーブル８ｂと、通信履歴受信テーブル８ｃと、送信ジョブや受信ジョブ毎の画像データが格納された画像データファイル８ｄとを含む。また、クロック回路９は、現在日時を計時して、必要に応じて主制御部１に対して現在日時のデータを出力する。
【００２３】
ファックスモデム１０は、公衆電話回線Ｌを介して公衆電話網５０に接続され、通常のファクシミリ通信用のファックスモデムの機能を有するモデムであり、ＦＳＫ信号として受信される発信電話番号情報のデータを復調して主制御部１に出力する。ＮＣＵ（ネットワーク制御回路：Network Control Unit）１１はアナログの公衆電話回線Ｌの直流ループなどの閉結及び開放の動作を行いかつ自動ダイヤル機能を有するハードウェア回路であり、必要に応じてファックスモデム１０を公衆電話回線Ｌに接続する。ここで、ＮＣＵ１１は、発信電話番号通知サービスにおけるＩＤ受信端末起動信号、通常の電話呼出信号の検出を行うとともに、必要に応じて発信電話番号通知サービスにおける１次応答信号及び２次応答信号を発信することができる。なお、ＮＣＵ１１を所定のターミナルアダプタ及びＤＳＵ（加入者線終端装置：Digital Service Unit）を介して、ベースバンド伝送方式のデジタル回線（例えば、ＩＳＤＮ回線）に接続するようにしてもよい。
【００２４】
ＬＡＮインターフェース１２は、当該ファクシミリ装置２０を、例えばイーサネット（登録商標）などのローカル・エリア・ネットワーク３０に接続するために、信号やデータの信号変換やプロトコル変換を行うインターフェース回路であり、ＬＡＮ３０にはメールサーバ装置３１とルータ装置３２が接続される。さらに、ルータ装置３２はインターネット４０を介して相手先のメールサーバ装置（図示せず。）に接続される。当該ファクシミリ装置２０から画像データをメール本文等に添付してメール送信するときは、ＬＡＮインターフェース１２からＬＡＮ３０を介して一旦メールサーバ装置３１に送信した後、メールサーバ装置３１が当該インターネットメールを、ＬＡＮ３０、ルータ装置３２、インターネット４０、及び相手先のメールサーバ装置（図示せず。）を介して送信先のファクシミリ装置にメールをパケット送信する。一方、メールをパケット受信するときは、上記の逆の経路で受信する。なお、インターネット４０への回線接続は、専用回線などに限らず、公衆電話回線Ｌを用いたダイヤルアップ接続でもよい。
【００２５】
以上のように構成された本実施形態のファクシミリ装置２０は、通常のＧ３方式等のファクシミリ通信機能に加えて、電子メールを用いたファクシミリ通信機能を有している。前者のファクシミリ通信機能において、画像読取部２により読み取られたドットイメージデータはファクシミリ通信の規格で定められているＭＨ，ＭＲ，ＭＭＲ等の符号化方式に従ってソフトウェアにより符号化された後、相手先のファクシミリ装置に送信される一方、逆に相手先のファクシミリ装置から受信した符号化データもソフトウェアによりイメージデータに復号化されて画像記録部３からハードコピーとして出力される。なお、後者のファクシミリ通信機能について詳細後述する。
【００２６】
図３は、図１のコンパクトフラッシュ（登録商標）８に格納されるＦＡＸＩＤ管理テーブル８ａの一例を示す図である。本実施形態において、ＦＡＸＩＤは、一連の１つのファクシミリ通信を示すシリアル番号であるが、その後ろに、＠と自局のドメインを付加したものをＸ−ＦＡＸＩＤ信号として送信する。図３に示すように、ＦＡＸＩＤ管理テーブル８ａを用いて、ＦＡＸＩＤの採番（番号を新規にとること）、その管理を行っており、ＦＡＸＩＤ管理テーブル８ａでは、Ｘ−ＦＡＸＩＤ毎に、通信相手先のメールアドレス、当該ファクシミリ通信の開始時刻及び終了時刻が格納されている。なお、終了時刻が「−」であるときは、当該ファクシミリ通信が終了していないことを示す。
【００２７】
図４は、図１のコンパクトフラッシュ（登録商標）８に格納される通信履歴送信テーブル８ｂの一例を示す図である。図４に示すように、通信履歴送信テーブル８ｂには、自局から相手先のファクシミリ装置に対してファクシミリ送信したときにおいて、ＩＴＵ−Ｔ勧告Ｔ．３０と同様の手順信号を用いた各信号を送受信する毎に、各信号に対する、Ｘ−ＦＡＸＩＤ、通信相手先のメールアドレス、通信時刻、信号の種類、ＴＸ（送信）又はＲＸ（受信）であるかの別が格納されている。
【００２８】
図５は、図１のコンパクトフラッシュ（登録商標）８に格納される通信履歴受信テーブル８ｃの一例を示す図である。図５に示すように、通信履歴受信テーブル８ｃには、相手先のファクシミリ装置から自局に対してファクシミリ送信されたとき（すなわち、ファクシミリ受信したとき）において、ＩＴＵ−Ｔ勧告Ｔ．３０と同様の手順信号を用いた各信号を送受信する毎に、各信号に対する、Ｘ−ＦＡＸＩＤ、通信相手先のメールアドレス、通信時刻、信号の種類、ＴＸ（送信）又はＲＸ（受信）であるかの別が格納されている。
【００２９】
第１の実施形態においては、電子メールの拡張ヘッダに、Ｘ−（ファクシミリ通信のＴ３０通信手順の手順信号名）なる形式の信号を格納し、具体的には、Ｘ−ＤＩＳ、Ｘ−ＤＣＳ、Ｘ−ＥＯＭなどのようなファクシミリ信号と呼び出し信号（本実施形態では、ファクシミリ送信通知信号という。）を示すヘッダを使用し、それらのヘッダを使用した電子メールをやり取りすることによってファクシミリ通信のＴ３０通信手順を電子メールベースで行う。ここで、ファクシミリ送信通知信号を示すヘッダとしては例えばＸ−ＦＡＸＣＡＬＬなどを使用する。また、ＤＩＳ信号やＤＣＳ信号などデータ部分が必要なものは例えばＸ−ＤＩＳ−２０５６８０４４３５８６などのようにヘッダ中に記述してもよいし新たなヘッダとして記述してもよいし、本文に記述してもよい。さらに、Ｔ３０の通信手順上でＴＣＦ信号は使用する意味がないので使用しなくてもよい。
【００３０】
また、画像データはＴＩＦＦ形式、もしくは、ＭＨ形式、ＭＭＲ形式、ＪＢＩＧ形式又はＪＰＥＧ形式などで符号化した後、ＭＩＭＥ変換して本文又は添付ファイルとして送信する。なお、画像データがＴＩＦＦ形式で記載されているときは、ＴＩＦＦ形式のヘッダ中に画像データの情報が記述されているので、ＤＣＳ信号に相当する情報を別途送信する必要はない。さらに、画像データを示すためにヘッダにはＸ−ＰＩＸなどを付加しておく。ここで、画像データはページ単位で１通の電子メールとして送信する。さらに、途中で電子メールのやり取りができなくなった場合は、送信側のファクシミリ装置２０は送信完了したページの次のページから所定時間後に再送信を試みる、あるいは全ページを再送してもよい。
【００３１】
また、送信側と受信側で電子メールがファクシミリ通信のためのメールであり、かつ現状行われている通信を一意に認識するために、上述のように、送信側が呼び出しの電子メールを送信するとき、あるいは受信側が呼び出しに応答する電子メールを送信するときにメールのヘッダに通信管理情報であるＦＡＸＩＤを付加しておきファクシミリ手順が終了するまで、お互いにその通信管理情報をメールのヘッダに付加してやり取りをする。このＦＡＸＩＤを使用することによって、送信側、受信側も多対多のファクシミリ通信を同時に行うこともできる。
【００３２】
次いで、本実施形態で用いる、Ｘ−ＦＡＸＣＡＬＬ信号（ファクシミリ送信通知信号）、Ｘ−ＣＳＩ信号、Ｘ−ＴＳＩ信号、Ｘ−ＣＦＲ信号の各ヘッダの一例を以下に示す。
【００３３】
［表１］
――――――――――――――――――――――――――――――――――
Message-ID: <37D50932.97EF2823@abc.co.jp>
Date: Tue, 07 Sep 1999 21:46:42 +0900
From: ifax@abc.co.jp
To: faxterminal@xyz.co.jp
Subject: InternetFAX
X-FAXCALL: Call for IFAX
X-FAXID:00001@abc.co.jp
MIME-Version: 1.0
――――――――――――――――――――――――――――――――――
【００３４】
［表２］
――――――――――――――――――――――――――――――――――
Message-ID: <47D50932.87EF2823@xyz.co.jp>
Date: Tue, 07 Sep 1999 21:47:42 +0900
From: faxterminal@xyz.co.jp
To: ifax@abc.co.jp
Subject: InternetFAX
X-FAXID:00001@abc.co.jp
X-CSI: 075-111-1234
X DIS: 0020EEF8C4809580808020
MIME-Version: 1.0
――――――――――――――――――――――――――――――――――
【００３５】
［表３］
――――――――――――――――――――――――――――――――――
Message-ID: <57D50932.97EF2823@abc.co.jp>
Date: Tue, 07 Sep 1999 21:48:30 +0900
From: ifax@abc.co.jp
To: faxterminal@xyz.co.jp
Subject: InternetFAX
X-FAXID:00001@abc.co.jp
X-TSI: 075-111-2345
X-DCS: 830022F8C48004
MIME-Version: 1.0
――――――――――――――――――――――――――――――――――
【００３６】
［表４］
――――――――――――――――――――――――――――――――――
Message-ID: <48D50932.87EF2823@xyz.co.jp>
Date: Tue, 07 Sep 1999 21:48:52 +0900
From: faxterminal@xyz.co.jp
To: ifax@abc.co.jp
Subject: InternetFAX
X-FAXID:00001@abc.co.jp
X-CFR: 84
MIME-Version: 1.0
――――――――――――――――――――――――――――――――――
【００３７】
さらに、第１の実施形態に係るファクシミリ通信の通信手順の一例について、図６を参照して以下に説明する。
【００３８】
図６において、まず、インターネットファクシミリ装置２０Ａはメールサーバ装置３１Ａ及び３１Ｂを介してインターネットファクシミリ装置２０Ｂに対してＸ−ＦＡＸＣＡＬＬ信号（ファクシミリ送信通知信号又は呼び出し信号）の電子メールを送信し、これに応答して、インターネットファクシミリ装置２０Ｂはインターネットファクシミリ装置２０Ａに対してＸ−ＣＳＩ信号（被呼端末識別信号）及びＸ−ＤＩＳ信号（被呼端末の受信機能又は受信能力を示すディジタル識別信号）の電子メールを送信する。次いで、インターネットファクシミリ装置２０Ａはインターネットファクシミリ装置２０Ｂに対してＸ−ＴＳＩ（送信端末識別信号）信号及びＸ−ＤＣＳ信号（送信端末からの機能命令（送信機能又は送信能力をいう）を示すディジタル命令信号）の電子メールを送信し、これに応答して、インターネットファクシミリ装置２０Ｂはインターネットファクシミリ装置２０Ａに対してＸ−ＣＦＲ信号（受信準備確認信号）の電子メールを返信する。
【００３９】
そして、インターネットファクシミリ装置２０Ａはインターネットファクシミリ装置２０Ｂに対して１ページ目の画像データを含むＸ−ＰＩＸの電子メールを送信し、続いて、Ｘ−ＭＰＳ信号（次のページの画像データがあることを示すマルチページ信号）の電子メールを送信する。これに応答して、インターネットファクシミリ装置２０Ｂはインターネットファクシミリ装置２０Ａに対してＸ−ＭＣＦ信号（Ｘ−ＭＰＳ信号に対する肯定応答でメッセージが完全に受信されたことを示すメッセージ確認信号）の電子メールを返信する。さらに、インターネットファクシミリ装置２０Ａはインターネットファクシミリ装置２０Ｂに対して２ページ目の画像データを含むＸ−ＰＩＸ信号の電子メールを送信し、続いて、Ｘ−ＥＯＰ信号（画像データの送信終了を示す手順終了信号）を送信する。これに対して、インターネットファクシミリ装置２０Ｂはインターネットファクシミリ装置２０Ａに対してＸ−ＭＣＦ信号（Ｘ−ＥＯＰ信号に対する肯定応答でメッセージが完全に受信されたことを示すメッセージ確認信号）を返信し、さらに、インターネットファクシミリ装置２０Ａはインターネットファクシミリ装置２０Ｂに対してＸ−ＤＣＮ信号（切断命令信号）を送信して当該一連のファクシミリ通信を終了する。
【００４０】
図６の通信手順では、１ページの画像データの送信処理１００Ａに続いて、次のページの画像データが有ることを示す処理１００Ｂが実行され、次いで、２ページの画像データの送信処理１００Ｃが実行されている。これにより、２ページ分の画像データを送信する送信処理１０１が実行されている。
【００４１】
以上説明したように、第１の実施形態によれば、電子メールを用いたインターネットファクシミリ通信システムにおいて、互いの能力交換を行ってから画像データを送信することができる。これにより、相手先のインターネットファクシミリ装置の能力を十分に生かすことができる。また、ファクシミリの通信手順信号を用いて、電子メールによるファクシミリ通信を行っているので、受信側で確実に受信したか否かを送信側で知ることができる。
【００４２】
＜第２の実施形態＞
図７は、第２の実施形態に係るファクシミリ通信の通信手順を示すシーケンス図であり、図８は、第２の実施形態に係るインターネットファクシミリ装置２０によって実行される送信処理を示すフローチャートである。また、図９は、第２の実施形態に係るインターネットファクシミリ装置２０によって実行される受信処理を示すフローチャートであり、図１０は、図９のサブルーチンであるヘッダ別処理（ステップＳ１９）を示すフローチャートである。さらに、図１１は、第２の実施形態に係るインターネットファクシミリ装置２０によって所定時間毎に実行される割り込み処理である第１のタイムアウト処理を示すフローチャートである。
【００４３】
この第２の実施形態に係るインターネットファクシミリ装置２０は、図２に図示した構成と同様の構成を有し、主制御部１は、図７に示すように、電子メールを用いて自機と相手先のファクシミリ装置の能力を交換し、上記交換された各ファクシミリ装置の能力に基づいて１ページ又は複数のページの画像データを１つの電子メールを用いて送信することを特徴とする。また、主制御部１は、電子メールを用いて送信された画像データを受信して図９及び図１０に示す所定の受信処理を実行し、具体的には、受信した画像データを復号化して画像記録部３を用いて記録紙に印刷し（図１０のステップＳ２２）エラーが発生しないときに（ステップＳ２２ＡでＮＯ）上記実行した受信処理の結果（画像データを確実に受信して復号化したこと）を示すＸ−ＭＣＦ信号（メッセージ確認信号）の電子メールを相手先のファクシミリ装置に送信する（ステップＳ２３）。一方、復号化においてエラーが発生し、受信した画像データの一部又は全部について不備があるときに（ステップＳ２２ＡでＹＥＳ）再送要求を示すＸ−ＰＰＲ（部分ページ信号）の電子メールを相手先のファクシミリ装置に送信する（ステップＳ２２Ｂ）。
【００４４】
さらに、主制御部１は、電子メールを用いて送信された画像データを受信するときに、すなわちＸ−ＦＡＸＣＡＬＬ信号を受信したときに（図９のステップＳ１４でＹＥＳ）画像記録部３などのインターネットファクシミリ装置２０内のトラブルなどで画像データを受信できず着信を拒否するときは（ステップＳ１４ＡでＹＥＳ）、受信できない旨を示すＸ−ＤＣＮ信号（切断命令信号）の電子メールを相手先のファクシミリ装置に送信する。またさらに、図８の送信処理又は図９及び図１０の受信処理により電子メールが送信されたときに、当該送信から所定の経過時間内に、返信されるべき電子メールを受信できない場合には（図１１の第１のタイムアウト処理のステップＳ３２でＹＥＳ）、当該ファクシミリ通信を中断する（ステップＳ３３）。
【００４５】
次いで、第２の実施形態に係るファクシミリ通信の通信手順について、図７を参照して説明する。
【００４６】
図７において、まず、インターネットファクシミリ装置２０Ａはメールサーバ装置３１Ａ及び３１Ｂを介してインターネットファクシミリ装置２０Ｂに対してＸ−ＦＡＸＣＡＬＬ（ファクシミリ送信通知信号）を送信し、これに応答して、インターネットファクシミリ装置２０Ｂはインターネットファクシミリ装置２０Ａに対してＸ−ＣＳＩ及びＸ−ＤＩＳ信号を送信する。次いで、インターネットファクシミリ装置２０Ａはインターネットファクシミリ装置２０Ｂに対してＸ−ＴＳＩ，Ｘ−ＤＣＳ，Ｘ−ＰＩＸ信号の画像データ（ＴＩＦＦ形式及びマルチページ形式で全ページの画像データを含む。），Ｘ−ＥＯＰ信号を送信し、これに応答して、インターネットファクシミリ装置２０Ｂはインターネットファクシミリ装置２０Ａに対してＸ−ＭＣＦ（受信結果付き）信号を送信する。ここで、Ｘ−ＭＣＦ信号はメッセージ確認信号であって、先のＸ−ＥＯＰ信号に対する肯定応答であってメッセージが完全に受信されたことを示す。言いかえれば、実行した受信処理の結果（画像データを確実に受信して復号化したこと）を示す。さらに、上記Ｘ−ＭＣＦ信号に応答して、インターネットファクシミリ装置２０Ａはインターネットファクシミリ装置２０Ｂに対してＸ−ＤＣＮ信号を返信する。
【００４７】
図７に図示した第２の実施形態に係る通信手順では、複数のページを含む画像データを１つの電子メールを用いて伝送している（図７の１０２の手順）ので、図６の第１の実施形態のように１ページの画像データ毎に１つの電子メールを伝送する場合（図６の１０１の手順）に比較して、通信手順を大幅に簡単化できる。
【００４８】
図８は、第２の実施形態に係るインターネットファクシミリ装置２０によって実行される送信処理を示すフローチャートである。図８において、まず、ステップＳ１で原稿をセットし、操作部５を用いて送信宛先を指定する。次いで、ステップＳ２において原稿画像を画像読取部２を用いて読み取り、画像データファイル８ｄに格納して符号化する。そして、ステップＳ３においてＦＡＸＩＤ管理テーブル８ａに基づいて新しいＦＡＸＩＤを採番し、ＦＡＸＩＤ管理テーブル８に書き込む。そして、ステップＳ４においてメールサーバ装置３１を介して送信宛先に、Ｘ−ＦＡＸＣＡＬＬ信号（ファクシミリ送信通知信号）の電子メールをＳＭＴＰ方式で送信し、当該信号の内容を通信履歴送信テーブル８ｂに書き込んで当該送信処理を終了する。
【００４９】
図９は、第２の実施形態に係るインターネットファクシミリ装置２０によって実行される受信処理を示すフローチャートである。
【００５０】
図９において、まず、ステップＳ１１で前回のメールサーバ装置３１へのアクセスから所定時間が経過したか否かが判断され、ＹＥＳとなるまでステップＳ１１の処理を繰り返す。ステップＳ１１でＹＥＳのときは、ステップＳ１２においてメールサーバ装置３１にアクセスしてＰＯＰ３方式で電子メールをダウンロードして受信する。次いで、ステップＳ１３において受信した電子メールのヘッダを解析し、当該信号の内容を通信履歴受信テーブル８ｃに書き込み、ステップＳ１４においてＸ−ＦＡＸＣＡＬＬ信号の電子メールを受信したか否かが判断される。ＹＥＳのときはステップＳ１４Ａに進む一方、ＮＯのときはステップＳ１６に進む。ステップＳ１４Ａでは、画像記録部３などのインターネットファクシミリ装置２０内のトラブル、ダイレクトメール又はＳＰＡＭメールなどで画像データを受信できず着信を拒否するか否かが判断され、ＹＥＳのときはステップＳ１４Ｂで相手先にＸ−ＤＣＮ信号（切断命令信号）の電子メールを送信し、当該信号の内容を通信履歴受信テーブル８ｃに書きこみステップＳ１１に戻る。一方、ステップＳ１４ＡでＮＯのときはステップＳ１５において自機の能力を含むＸ−ＤＩＳ信号（デジタル識別信号）の電子メールを相手先に送信し、当該信号の内容を通信履歴受信テーブル８ｃに書き込みステップＳ１１に戻る。
【００５１】
ステップＳ１６では、受信した電子メールのＦＡＸＩＤに基づいて通信履歴送信テーブル８ｂ及び通信履歴受信テーブル８ｃを検索することにより、前回の通信を特定し、ステップＳ１７において前回の電子メールの送信から所定時間経過したか否かが判断され、ＮＯのときはステップＳ１９に進み図１０のサブルーチンであるヘッダ別処理を実行した後ステップＳ１１に戻る。一方、ステップＳ１７でＹＥＳであるときは、ステップＳ１８においてエラー通知レポートを画像記録部３を用いて出力し、相手先にＸ−ＤＣＮ信号（切断命令信号）の電子メールを送信し、当該信号の内容を通信履歴送信テーブル８ｂに書きこみステップＳ１１に戻る。
【００５２】
図１０は、図９のサブルーチンであるヘッダ別処理（ステップＳ１９）を示すフローチャートである。図１０において、まず、ステップＳ２１において受信された電子メールのヘッダの信号ＨＤは何であるかが判断され、ヘッダの信号ＨＤに応じて以下のように分岐する。
（ａ）ＨＤ＝Ｘ−ＤＣＳ，Ｘ−ＰＩＸ，Ｘ−ＥＯＰのときはステップＳ２２に進む。
（ｂ）ＨＤ＝Ｘ−ＤＣＮのときはステップＳ２４に進む。
（ｃ）ＨＤ＝Ｘ−ＤＩＳ又はＸ−ＰＰＲのときはステップＳ２５に進む。
（ｄ）ＨＤ＝Ｘ−ＭＣＦのときはステップＳ２６に進む。
（ｅ）ＨＤ＝その他の信号であるときは、ステップＳ２７で当該信号に応じて所定のその他の処理を実行して元のメインルーチンに戻る。
【００５３】
ステップＳ２２では、受信した画像データを復号化して、画像記録部３を用いて印刷し、ステップＳ２２Ａにおいて符号化処理や記録処理等でエラーが発生したか否かが判断され、ＹＥＳのときはステップＳ２２Ｂに進み、再送要求を行うためにＸ−ＰＰＲ信号（部分ページ信号）の電子メールを送信し、当該信号の内容を通信履歴受信テーブル８ｃに書きこみ元のメインルーチンに戻る。一方、ステップＳ２２ＡでＮＯであるときは、ステップＳ２３において相手先にＸ−ＭＣＦ信号（メッセージ確認信号）の電子メールを送信し、当該信号の内容を通信履歴受信テーブル８ｃに書き込みもとのメインルーチンに戻る。また、ステップＳ２４では、当該ファクシミリ通信を終了したと判断して、ＦＡＸＩＤ管理テーブル８ａに当該通信の終了時刻を書き込み、受信した信号の内容を通信履歴送信テーブル８ｂに書き込み、元のメインルーチンに戻る。ステップＳ２５では、Ｘ−ＤＣＳ，Ｘ−ＰＩＸ，Ｘ−ＥＯＰ信号及び相手機能力に合わせた画像データの電子メールを相手先に送信し、これらの信号の内容を通信履歴送信テーブル８ｂに書き込む。ステップＳ２６においてＸ−ＤＣＮ信号（切断命令信号）の電子メールを相手先に送信し、当該信号の内容を通信履歴送信テーブル８ｂに書き込み、元のメインルーチンに戻る。
【００５４】
図１１は、第２の実施形態に係るインターネットファクシミリ装置２０によって所定時間（例えば、５分など）毎に実行される割り込み処理である第１のタイムアウト処理を示すフローチャートである。
【００５５】
図１１において、ステップＳ３１では、通信履歴送信テーブル８ｂ及び通信履歴受信テーブル８ｃを検索することにより、返信待ちのファクシミリ通信を特定し、ステップＳ３２において前回の電子メールの送信より所定時間以上経過したか否かが判断され、ＹＥＳのときはステップＳ３３に進む一方、ＮＯのときは当該第１のタイムアウト処理を終了する。ステップＳ３３では、強制的に当該ファクシミリ通信を中断すると判断し、自局送信のときにはＦＡＸＩＤ管理テーブル８ａに当該通信の終了時刻を書き込むとともに、自局送信又は相手先送信のときにＸ−ＤＣＮ信号（切断命令信号）の電子メールを相手先に送信し、当該信号の内容を通信履歴送信テーブル８ｂ又は通信履歴受信テーブル８ｃに書き込み当該第１のタイムアウト処理を終了する。
【００５６】
なお、本実施形態で用いるＸ−ＭＣＦ信号において、受信日時、受信後の処理（印字、転送、蓄積など）、受信結果などを記述してもよい。また、インターネットファクシミリ装置２０の受信能力や受信結果などの情報は電子メールのヘッダに記述しても本文に記述してもかまわない。さらに、インターネットファクシミリ装置２０の受信能力には受信できる紙サイズや解像度など以外に、複数ページの受信の可／不可やメールの最大容量などを記述してもよく、その場合、送信側のインターネットファクシミリ装置２０は相手機に合わせて１ページ毎のＴＩＦＦファイルにして送信したり、数頁毎に分割してＴＩＦＦファイルにして送信する。この場合、各電子メール毎に受信結果の電子メールを受信する。またさらに、本実施形態においては、受信側のインターネットファクシミリ装置２０は受信結果にエラーのあったページの再送要求を全ページ、あるいはページ単位で指定でき、送信側のインターネットファクシミリ装置２０は要求された通り再送する。
【００５７】
本実施形態における電子メールを用いたファクシミリ通信において、受信側のインターネットファクシミリ装置２０はある送信機とファクシミリ通信を電子メールベースで行っている最中に、さらにファクシミリ通信の呼び出しメールを受信したときに応答できないのであれば、例えばＸ−ＦＡＸＢＵＳＹ信号などのヘッダを付加した「現在通信中」である旨を示す電子メールを返信してもよい。このとき、送信側のインターネットファクシミリ装置２０はそれを受けるとリダイヤルの処理を行い、もしくは、受信側は、Ｘ−ＦＡＸＣＡＬＬ（呼び出し）信号の電子メールを受信したときにそれを無視する。ここで、送信側のインターネットファクシミリ装置２０は何回かＸ−ＦＡＸＣＡＬＬ信号の電子メールを送信するあるいは所定時間応答がないとリダイヤルの処理を行う。
【００５８】
さらに、本実施形態における電子メールを用いたファクシミリ通信において、お互いのインターネットファクシミリ装置２０が電子メールを待ち受ける際のタイムアウトの時間は予めフェーズによって決めていてもいいし、あるいは、送信する電子メールに希望する待ち時間を記述しておいてもよい。
【００５９】
以上説明したように、第２の実施形態によれば、主制御部１は、図７に示すように、電子メールを用いて自機と相手先のファクシミリ装置の能力を交換し、上記交換された各ファクシミリ装置の能力に基づいて１ページ又は複数のページの画像データを１つの電子メールを用いて送信する。従って、第１の実施形態に比較して簡単化された伝送手順で、画像データを送信することができる。また、互いの能力交換を行ってから画像データを送信することができ、相手先のインターネットファクシミリ装置の能力を十分に生かすことができる。さらに、ファクシミリの通信手順信号を用いて、電子メールによるファクシミリ通信を行っているので、Ｘ−ＭＣＦ信号などの信号に基づいて、受信側で確実に受信したか否かを送信側で知ることができる。
【００６０】
＜第３の実施形態＞
図１２は、第３の実施形態に係るインターネットファクシミリ通信システムによって実行される、１ページの画像データを送信する時の手順信号の圧縮方法を示す図であって、ファクシミリ通信の通信手順を示すシーケンス図である。また、図１３は、第３の実施形態に係るインターネットファクシミリ通信システムによって実行される、２ページの画像データを送信する時の手順信号の圧縮方法を示す図であって、ファクシミリ通信の通信手順を示すシーケンス図である。
【００６１】
この第３の実施形態に係るインターネットファクシミリ装置２０は、図２に図示した構成と同様の構成を有し、主制御部１は、図１２及び図１３に示すように、１ページの画像データ毎に電子メールを用いて自機と相手先のファクシミリ装置の能力を交換し、上記交換された各ファクシミリ装置の能力に基づいて画像データを送信することを特徴とする。ここで、例えば、図１２に示すように、１ページの画像データを送信するときに、主制御部１は、Ｘ−ＴＳＩ信号（送信端末識別信号）及びＸ−ＤＣＳ信号（機能命令信号）を、上記１ページの画像データとともに、１つの電子メールを用いて送信する。また、図１３に示すように、複数のページの画像データを送信するときに、主制御部１は、Ｘ−ＴＳＩ信号（送信端末識別信号）及びＸ−ＤＣＳ信号（機能命令信号）を最初のページの画像データとともに、１つの電子メールを用いて送信した後、Ｘ−ＤＣＳ信号（機能命令信号）を２ページ以降の画像データとともに、１つの電子メールを用いて送信する。
【００６２】
さらに、この第３の実施形態においては、主制御部１は、直前の画像データの送信から所定時間を経過しても、次のページの画像データについて自機と相手先のファクシミリ装置の能力を交換することができないときには（図１７のステップＳ６２でＹＥＳ）、直前のページの画像データを再送信する（ステップＳ６３）ことを特徴とする。
【００６３】
次いで、図１２を参照して１ページの画像データを送信する時の手順信号の圧縮方法について説明する。図１２において、インターネットファクシミリ装置２０Ａはインターネットファクシミリ装置２０Ｂに対してＸ−ＦＡＸＣＡＬＬ信号を送信し、これに応答してインターネットファクシミリ装置２０Ｂはインターネットファクシミリ装置２０Ａに対してＸ−ＣＳＩ，Ｘ−ＤＩＳ信号を返信する。次いで、インターネットファクシミリ装置２０Ａはインターネットファクシミリ装置２０Ｂに対してＸ−ＴＳＩ，Ｘ−ＤＣＳ，Ｘ−ＰＩＸ（１ページ分で例えばＴＩＦＦ形式），Ｘ−ＥＯＰ信号を伝送し、これに応答して、インターネットファクシミリ装置２０Ｂはインターネットファクシミリ装置２０Ａに対してＸ−ＭＣＦ信号を返信する。さらに、インターネットファクシミリ装置２０Ａはインターネットファクシミリ装置２０Ｂに対してＸ−ＤＣＮ信号を送信する。以上で１ページの画像データを送信する時のファクシミリ通信の通信手順が終了する。
【００６４】
さらに、図１３を参照して２ページの画像データを送信する時の手順信号の圧縮方法について説明する。図１３において、インターネットファクシミリ装置２０Ａはインターネットファクシミリ装置２０Ｂに対してＸ−ＦＡＸＣＡＬＬ信号を送信し、これに応答してインターネットファクシミリ装置２０Ｂはインターネットファクシミリ装置２０Ａに対してＸ−ＣＳＩ，Ｘ−ＤＩＳ信号を返信する。次いで、インターネットファクシミリ装置２０Ａはインターネットファクシミリ装置２０Ｂに対してＸ−ＴＳＩ，Ｘ−ＤＣＳ，Ｘ−ＰＩＸ（第１ページで例えばＴＩＦＦ形式），Ｘ−ＥＯＭ信号を送信し、これに応答してインターネットファクシミリ装置２０Ｂはインターネットファクシミリ装置２０Ａに対してＸ−ＭＣＦ，Ｘ−ＤＩＳ信号を返信する。さらに、インターネットファクシミリ装置２０Ａはインターネットファクシミリ装置２０Ｂに対してＸ−ＤＣＳ，Ｘ−ＰＩＸ（第２ページで例えばＴＩＦＦ形式），Ｘ−ＥＯＰ信号を送信し、これに応答してインターネットファクシミリ装置２０Ｂはインターネットファクシミリ装置２０Ａに対してＸ−ＭＣＦ信号を返信する。そいて、インターネットファクシミリ装置２０Ａはインターネットファクシミリ装置２０Ｂに対してＸ−ＤＣＮ信号を送信する。以上で２ページの画像データを送信する時のファクシミリ通信の通信手順が終了する。なお、３ページ以上の複数のページの画像データの伝送においても、図１３と同様に伝送される。
【００６５】
図１２に図示した第３の実施形態に係る通信手順では、Ｘ−ＴＳＩ，Ｘ−ＤＣＳ，Ｘ−ＰＩＸ（１ページ分），Ｘ−ＥＯＰ信号を１つの電子メールを用いて伝送している（図１２の１１０の手順）ので、図６の第１の実施形態のように、Ｘ−ＴＳＩ，Ｘ−ＤＣＳ信号と、Ｘ−ＰＩＸ（１ページ分），Ｘ−ＥＯＰ信号とを別の電子メールを用いて伝送する場合（図６の１００Ａの手順）に比較して、通信手順を大幅に簡単化できる。また、図１３に図示した第３の実施形態に係る通信手順においても、符号１１１で示すように、図６の第１の実施形態（図６の１０１の手順）に比較して、通信手順を大幅に簡単化できる。
【００６６】
図１４乃至図１６は、第３の実施形態に係るファクシミリ装置２０によって実行されるサブルーチンであるヘッダ別処理（ステップＳ１９Ａ）を示すフローチャートである。
【００６７】
図１４において、まず、ステップＳ４１において受信された電子メールのヘッダの信号ＨＤが何であるかが判断され、当該ヘッダの信号ＨＤの種類に応じて以下のように分岐する。
（ａ）図１４で、ＨＤ＝Ｘ−ＤＩＳ，Ｘ−ＰＰＲのとき、ステップＳ４２に進む。
（ｂ）図１５で、ＨＤ＝Ｘ−ＤＣＳ，Ｘ−ＰＩＸ，Ｘ−ＭＰＳのとき、ステップＳ４７に進む。
（ｃ）図１５で、ＨＤ＝Ｘ−ＤＣＳ，Ｘ−ＰＩＸ，Ｘ−ＥＯＰのとき、ステップＳ５０に進む。
（ｄ）図１５で、ＨＤ＝Ｘ−ＤＣＳ，Ｘ−ＰＩＸ，Ｘ−ＥＯＭのとき、ステップＳ５２に進む。
（ｅ）図１６で、ＨＤ＝Ｘ−ＭＣＦのとき、ステップＳ５６に進む。
（ｆ）図１６で、ＨＤ＝その他の信号であるときは、ステップＳ５８で当該信号に応じて所定のその他の処理を実行して元のメインルーチンに戻る。
【００６８】
図１４のステップＳ４２において当該ファクシミリ送信で次頁なしか否かが判断され、次いで、ステップＳ４３において受信した信号に基づいて当該ファクシミリ送信で解像度等の変更ありか否かが判断される。ステップＳ４２でＹＥＳのときはステップＳ４４に進み、ステップＳ４２でＮＯかつステップＳ４３でＹＥＳのときはステップＳ４５に進み、ステップＳ４２でＮＯかつステップＳ４３でＮＯのときはステップＳ４６に進む。ステップＳ４４においてＸ−ＤＣＳ，Ｘ−ＰＩＸ，Ｘ−ＥＯＰ信号及び相手機の能力に応じた画像データの電子メールを相手先に送信し、これらの信号の内容を通信履歴送信テーブル８ｂに書き込み、元のメインルーチンに戻る。また、ステップＳ４５においてＸ−ＤＣＳ，Ｘ−ＰＩＸ，Ｘ−ＥＯＭ信号及び相手機の能力に応じた画像データの電子メールを相手先に送信し、これらの信号の内容を通信履歴送信テーブル８ｂに書き込み、元のメインルーチンに戻る。さらに、ステップＳ４６においてＸ−ＤＣＳ，Ｘ−ＰＩＸ，Ｘ−ＭＰＳ信号及び相手機の能力に応じた画像データの電子メールを相手先に送信し、これらの信号の内容を通信履歴送信テーブル８ｂに書き込み、元のメインルーチンに戻る。
【００６９】
図１５のステップＳ４７において受信した画像データを復号化して、画像記録部３を用いて印刷し、ステップＳ４８において符号化処理又は記録処理等でエラーが発生したか否かが判断され、ＹＥＳのときはステップＳ５５に進む一方、ＮＯのときはステップＳ４９に進む。次いで、ステップＳ４９では、相手先にＸ−ＭＣＦ信号（メッセージ確認信号）の電子メールを送信し、当該信号の内容を通信履歴受信テーブル８ｃに書き込み、元のメインルーチンに戻る。また、ステップＳ５０において受信した画像データを復号化して、画像記録部３を用いて印刷し、ステップＳ５１において符号化処理又は記録処理等でエラーが発生したか否かが判断され、ＹＥＳのときはステップＳ５５に進む一方、ＮＯのときはステップＳ４９に進む。さらに、ステップＳ５２において受信した画像データを復号化して、画像記録部３を用いて印刷し、ステップＳ５３において符号化処理又は記録処理等でエラーが発生したか否かが判断され、ＹＥＳのときはステップＳ５５に進む一方、ＮＯのときはステップＳ５４に進む。ステップＳ５４では、相手先にＸ−ＭＣＦ，Ｘ−ＤＩＳ信号の電子メールを送信し、当該信号の内容を通信履歴受信テーブル８ｃに書き込み、元のメインルーチンに戻る。なお、ステップＳ５５においては、相手先にＸ−ＰＰＲ信号（部分ページ信号）の電子メールを送信し、当該信号の内容を通信履歴受信テーブル８ｃに書き込み、元のメインルーチンに戻る。
【００７０】
図１６のステップＳ５６において、次頁があるか否かが判断され、ＹＥＳのときは図１４のステップＳ４２に進む一方、ＮＯのときはステップＳ５７に進む。ステップＳ５７では、相手先にＸ−ＤＣＮ（切断命令信号）の電子メールを送信し、当該信号の内容を通信履歴送信テーブル８ｂに書き込み、元のメインルーチンに戻る。
【００７１】
図１７は、第３の実施形態に係るインターネットファクシミリ装置２０によって所定時間（例えば、３０秒）毎に実行される割り込み処理である第２のタイムアウト処理を示すフローチャートである。図１７において、ステップＳ６１では、通信履歴送信テーブル８ｂを検索することにより、画像データの送信直後の返信待ちのファクシミリ通信を特定し、ステップＳ６２において前回の画像データの電子メールの送信より所定時間（例えば、５分）以上経過したか否かが判断され、ＹＥＳのときはステップＳ６３に進む一方、ＮＯのときは当該第２のタイムアウト処理を終了する。ステップＳ６３では、Ｘ−ＤＣＳ，Ｘ−ＰＩＸ，Ｘ−ＥＯＰ及び相手機能力に合わせた、直前のページの画像データの電子メールを相手先に送信し、これらの信号の内容を通信履歴送信テーブル８ｂに書き込み当該第２のタイムアウト処理を終了する。
【００７２】
この第３の実施形態においては、送信側のインターネットファクシミリ装置２０は、送信する画像データの情報を含むＸ−ＤＣＳ信号と、次の指示信号であるＸ−ＭＰＳ，Ｘ−ＥＯＰ又はＸ−ＥＯＭ信号とを１つの電子メールを用いて伝送するので、通信手順を大幅に短縮することができる。また、Ｘ−ＤＣＳ信号を記述した電子メールに画像データも添付することによってさらに通信手順を短縮できる。なお、Ｘ−ＰＩＸ信号の画像データをＴＩＦＦ形式などにする場合はＴＩＦＦ形式のヘッダ部に画像データの情報が記述されているのでＸ−ＤＣＳ信号を別途付加しなくてもよい。さらに、受信側のインターネットファクシミリ装置２０の受信能力や受信結果などの情報は電子メールのヘッダに記述しても本文に記述してもよい。
【００７３】
この第３の実施形態においては、図１７の第２のタイムアウト処理に示すように、途中で電子メールのやり取りができなくなった場合は、送信側のインターネットファクシミリ装置２０は、送信完了したページの次のページから所定時間後に再送信を試みる。これに代えて、全ページを再送してもよい。
【００７４】
以上説明したように、第３の実施形態によれば、主制御部１は、図１２及び図１３に示すように、１ページの画像データ毎に電子メールを用いて自機と相手先のファクシミリ装置の能力を交換し、上記交換された各ファクシミリ装置の能力に基づいて画像データを送信する。従って、相手先のインターネットファクシミリ装置の能力を十分に生かすことができる。また、ファクシミリの通信手順信号を用いて、電子メールによるファクシミリ通信を行っているので、受信側で確実に受信したか否かを送信側で知ることができる。
【００７５】
＜変形例＞
以上の実施形態においては、送信側及び受信側ともに、インターネットファクシミリ装置２０とメールサーバ装置３１とを別々の装置で構成しているが、図１８に示すように、これら２つの装置２０，３１の機能を有するメールサーバ機能付きインターネットファクシミリ装置１２０Ａ，１２０Ｂで構成してもよい。また、送信側又は受信側の少なくとも一方をメールサーバ機能付きインターネットファクシミリ装置１２０Ａ，１２０Ｂで構成してもよい。ここで、インターネットを介して電子メールを送受信するメールサーバ機能を備えることにより、受信側では、ＰＯＰ３プロトコルを使用する必要が無くなり、ＳＭＴＰプロトコルだけで通信ができるので、より通信時間を短縮することができる。
【図面の簡単な説明】
【００７６】
【図１】本発明に係る第１の実施形態であるインターネットファクシミリ通信システムの構成を示すブロック図である。
【図２】図１のインターネットファクシミリ装置２０の詳細な構成を示すブロック図である。
【図３】図１のコンパクトフラッシュ（登録商標）８に格納されるＦＡＸＩＤ管理テーブル８ａの一例を示す図である。
【図４】図１のコンパクトフラッシュ（登録商標）８に格納される通信履歴送信テーブル８ｂの一例を示す図である。
【図５】図１のコンパクトフラッシュ（登録商標）８に格納される通信履歴受信テーブル８ｃの一例を示す図である。
【図６】第１の実施形態に係るファクシミリ通信の通信手順を示すシーケンス図である。
【図７】第２の実施形態に係るファクシミリ通信の通信手順を示すシーケンス図である。
【図８】第２の実施形態に係るインターネットファクシミリ装置２０によって実行される送信処理を示すフローチャートである。
【図９】第２の実施形態に係るインターネットファクシミリ装置２０によって実行される受信処理を示すフローチャートである。
【図１０】図９のサブルーチンであるヘッダ別処理（ステップＳ１９）を示すフローチャートである。
【図１１】第２の実施形態に係るインターネットファクシミリ装置２０によって所定時間毎に実行される割り込み処理である第１のタイムアウト処理を示すフローチャートである。
【図１２】第３の実施形態に係るインターネットファクシミリ通信システムによって実行される、１ページの画像データを送信する時の手順信号の圧縮方法を示す図であって、ファクシミリ通信の通信手順を示すシーケンス図である。
【図１３】第３の実施形態に係るインターネットファクシミリ通信システムによって実行される、２ページの画像データを送信する時の手順信号の圧縮方法を示す図であって、ファクシミリ通信の通信手順を示すシーケンス図である。
【図１４】第３の実施形態に係るファクシミリ装置２０によって実行されるサブルーチンであるヘッダ別処理（ステップＳ１９Ａ）の第１の部分を示すフローチャートである。
【図１５】第３の実施形態に係るファクシミリ装置２０によって実行されるサブルーチンであるヘッダ別処理（ステップＳ１９Ａ）の第２の部分を示すフローチャートである。
【図１６】第３の実施形態に係るファクシミリ装置２０によって実行されるサブルーチンであるヘッダ別処理（ステップＳ１９Ａ）の第３の部分を示すフローチャートである。
【図１７】第３の実施形態に係るインターネットファクシミリ装置２０によって所定時間毎に実行される割り込み処理である第２のタイムアウト処理を示すフローチャートである。
【図１８】変形例に係るインターネットファクシミリ通信システムの構成を示すブロック図である。
【符号の説明】
【００７７】
１…主制御部、
２…画像読取部、
３…画像記録部、
４…表示部、
５…操作部、
６…ＲＯＭ、
７…ＲＡＭ、
８…コンパクトフラッシュ（登録商標）、
８ａ…ＦＡＸＩＤ管理テーブル、
８ｂ…通信履歴送信テーブル、
８ｃ…通信履歴受信テーブル、
８ｄ…画像データファイル、
９…クロック回路、
１０…ファックスモデム、
１１…ＮＣＵ、
１２…ＬＡＮインターフェース、
１３…バス、
２０，２０Ａ，２０Ｂ…インターネットファクシミリ装置、
３０…ＬＡＮ、
３１，３１Ａ，３１Ｂ…メールサーバ装置、
３２…ルータ装置、
４０…インターネット、
５０…公衆電話網、
１２０Ａ，１２０Ｂ…メールサーバ付きインターネットファクシミリ装置。
Ｌ…公衆電話回線。
【図１】
2004312757.tif 000003
【図２】
2004312757.tif 000004
【図３】
2004312757.tif 000005
【図４】
2004312757.tif 000006
【図５】
2004312757.tif 000007
【図６】
2004312757.tif 000008
【図７】
2004312757.tif 000009
【図８】
2004312757.tif 000010
【図９】
2004312757.tif 000011
【図１０】
2004312757.tif 000012
【図１１】
2004312757.tif 000013
【図１２】
2004312757.tif 000014
【図１３】
2004312757.tif 000015
【図１４】
2004312757.tif 000016
【図１５】
2004312757.tif 000017
【図１６】
2004312757.tif 000018
【図１７】
2004312757.tif 000019
【図１８】
2004312757.tif 000020